(57)【要約】【課題】省エネルギー制御を行うことが可能な空調制御システムであって、省エネルギーである一方、利用者に不快感を与える恐れを減らす空調制御システムを提供する。【解決手段】空調制御システム１は、空気調和運転において省エネルギー制御を行うことが可能であり、第１記憶部６５ａと、運転制御部６４ａと、第１受付部６８ａとを備えている。第１記憶部６５ａは、空気調和運転のスケジュールを記憶する。運転制御部６４ａは、変化時刻Ｔ２から所定の時間Ｐ１遡った時刻を省エネ制御開始時刻Ｔ１として導出する。変化時刻Ｔ２とは、第１記憶部６５ａが記憶するスケジュールにおいて運転が変化する時刻である。運転制御部６４ａは、省エネ制御開始時刻Ｔ１から省エネルギー制御の実行を開始する。第１受付部６８ａは、省エネルギー制御の実行の要否の指令を例えば利用者から受け付ける。【選択図】図８
2011208857.tif 000002
【特許請求の範囲】
【請求項１】
空気調和運転において省エネルギー制御を行うことが可能な空調制御システムであって、
前記空気調和運転のスケジュールを記憶する第１記憶部（６５ａ）と、
前記第１記憶部（６５ａ）が記憶する前記スケジュールにおいて運転が変化する時刻である変化時刻（Ｔ２）から所定の時間（Ｐ１）遡った時刻である省エネ制御開始時刻（Ｔ１）から前記省エネルギー制御の実行を開始する運転制御部（６４ａ）と、
前記省エネルギー制御の実行の要否の指令を受け付ける第１受付部（６８ａ）と、
を備える空調制御システム（１）。
【請求項２】
複数の前記省エネルギー制御の方法である省エネ制御方法を記憶する第２記憶部（６５ｂ）と、
前記第２記憶部（６５ｂ）が記憶する前記複数の省エネ制御方法から所定の選択条件に基づいて１つの前記省エネ制御方法を選択する選択部（６４ｂ）と、
をさらに備え、
前記運転制御部（６４ａ）は、前記省エネ制御開始時刻（Ｔ１）から前記選択部（６４ｂ）が選択した前記省エネ制御方法による前記省エネルギー制御の実行を開始する、
請求項１に記載の空調制御システム（１）。
【請求項３】
屋外または空調対象空間内の環境情報あるいは前記空気調和運転の運転動作情報の少なくとも一方の情報を取得する情報取得部（６４ｃ）、
をさらに備え、
前記選択部（６４ｂ）は、前記情報に基づいて前記複数の省エネ制御方法から１つの前記省エネ制御方法を選択する、
請求項２に記載の空調制御システム（１）。
【請求項４】
屋外または空調対象空間内の環境情報あるいは前記空気調和運転の運転動作情報の少なくとも一方の情報を取得する情報取得部（６４ｃ）、
をさらに備える、
請求項１または２のいずれかに記載の空調制御システム（１）。
【請求項５】
前記情報取得部が取得した前記情報を記憶する第３記憶部（６５ｃ）と、
前記第３記憶部（６５ｃ）が記憶する前記情報に基づいて前記省エネルギー制御の態様を変更する学習部（６４ｄ）と、
をさらに備える、
請求項３または４のいずれかに記載の空調制御システム（１）。
【請求項６】
前記運転制御部（６４ａ）は、所定の解除条件が成就したときに前記省エネルギー制御を解除する、
請求項１から５のいずれかに記載の空調制御システム（１）。
【請求項７】
前記省エネルギー制御を解除する指令を受け付ける第２受付部（６８ｂ）、
をさらに備える、
請求項１から６のいずれかに記載の空調制御システム（１）。
【請求項８】
前記省エネ制御開始時刻（Ｔ１）を導出するための前記スケジュールの前記変化時刻（Ｔ２）から遡る前記所定の時間（Ｐ１）を受け付ける第３受付部（６８ｃ）、
をさらに備える、
請求項１から７のいずれかに記載の空調制御システム（１）。
【請求項９】
前記省エネルギー制御の態様を受け付ける第４受付部（６８ｄ）、
をさらに備える、
請求項１から８のいずれかに記載の空調制御システム（１）。
【発明の詳細な説明】
【技術分野】
【０００１】
本発明は、空調制御システムに関する。
【背景技術】
【０００２】
空気調和運転が行われている空調対象空間内では、空気調和機の運転を停止した後からしばらくの間は、快適性が維持されていることが多い。そこで、従来より、省エネルギーを実現させるために、予め設定されている空気調和運転の運転停止時刻より前に、空調対象空間への給気を停止させる停止制御を行う空調制御システムがある。
【０００３】
例えば、予め設定されている空調スケジュールに基づいて、空気調和運転の運転停止時刻から遡って停止制御を開始した場合に、予め設定されている運転停止時刻における空調対象空間内の温度が、予め設定されている適温範囲の下限値となるような時刻を最適停止時刻（以下、制御開始時刻という）として決定する空調制御システムがある（特許文献１の特開２００７−１３２５９８号公報を参照）。さらに、この空調制御システムでは、制御開始時刻から運転停止時刻までの間、空調対象空間に対する給気が最小換気風量となるように、給気量制御を行っている。このため、制御開始時刻から運転停止時刻までの間に停止制御が行われる場合と比較して、空調対象空間における快適性を向上させることができる。
【発明の概要】
【発明が解決しようとする課題】
【０００４】
ところで、上述の空調制御システムでは、必ず制御開始時刻から運転停止時刻までの間、空調対象空間に対する給気が最小換気風量となるように、給気量制御を行い、利用者は、制御を実行するか否かを選べない。このため、屋外および空調対象空間内における環境がどのようなものであっても、同じ制御がなされ、利用者には、不快であっても、選択の余地がない。
【０００５】
そこで、本発明の課題は、空気調和運転において省エネルギー制御を行うことが可能な空調制御システムであって、省エネルギーである一方、利用者に不快感を与える恐れを減らす空調制御システムを提供することにある。
【課題を解決するための手段】
【０００６】
本発明の第１観点に係る空調制御システムは、空気調和運転において省エネルギー制御を行うことが可能な空調制御システムであって、第１記憶部と、運転制御部と、第１受付部とを備えている。第１記憶部は、空気調和運転のスケジュールを記憶する。運転制御部は、変化時刻から所定の時間遡った時刻を省エネ制御開始時刻として導出する。変化時刻とは、第１記憶部が記憶するスケジュールにおいて運転が変化する時刻である。運転制御部は、省エネ制御開始時刻から省エネルギー制御の実行を開始する。第１受付部は、省エネルギー制御の実行の要否の指令を例えば利用者から受け付ける。
【０００７】
本発明の第１観点に係る空調制御システムでは、第１受付部により省エネルギー制御の実行の要否の指令が受け付けられる。これによって、利用者は、省エネルギー制御の実行の要否を選択できる。よって、省エネルギーである一方、利用者に不快感を与える恐れを減らすことができる。
【０００８】
本発明の第２観点に係る空調制御システムは、第１観点に係る空調制御システムであって、第２記憶部と、選択部とをさらに備えている。第２記憶部は、複数の省エネルギー制御の方法である省エネ制御方法を記憶する。選択部は、第２記憶部が記憶する複数の省エネ制御方法から所定の選択条件に基づいて１つの省エネ制御方法を選択する。
【０００９】
本発明の第２観点に係る空調制御システムでは、あらかじめ記憶されている複数の省エネ制御方法のなかから所定の選択条件にしたがって１つの省エネ制御方法が選択されるので、多様な制御方法のなかから選択条件にあったものが選択される。したがって、より省エネルギーである一方、不快感を与える恐れをより減らすことができる。
【００１０】
本発明の第３観点に係る空調制御システムは、第２観点に係る空調制御システムであって、情報取得部をさらに備えている。情報取得部は、屋外または空調対象空間内の環境情報あるいは空気調和運転の運転動作情報の少なくとも一方の情報を取得する。また、選択部は、該情報に基づいて複数の省エネ制御方法から１つの省エネ制御方法を選択する。
【００１１】
本発明の第３観点に係る空調制御システムでは、気象情報、外気温等の屋外の環境情報または室内の気温、湿度等の空調対象空間内の環境情報あるいは運転モード、設定温度等の空気調和運転の運転動作情報の少なくとも一方の情報を基に複数の省エネ制御方法から１つの省エネ制御方法が選択される。これにより、より環境に適応した省エネルギー制御を行うことが可能となる。
【００１２】
本発明の第４観点に係る空調制御システムは、第１観点または第２観点のいずれかに係る空調制御システムであって、情報取得部をさらに備えている。情報取得部は、屋外または空調対象空間内の環境情報あるいは空気調和運転の運転動作情報の少なくとも一方の情報を取得する。
【００１３】
本発明の第４観点に係る空調制御システムでは、気象情報、外気温等の屋外の環境情報または室内の気温、湿度等の空調対象空間内の環境情報あるいは運転モード、設定温度等の空気調和運転の運転動作情報の少なくとも一方の情報が取得される。これにより、より環境に適応した省エネルギー制御を行うことが可能となる。
【００１４】
本発明の第５観点に係る空調制御システムは、第３観点または第４観点のいずれかに係る空調制御システムであって、第３記憶部と、学習部とをさらに備えている。第３記憶部は、情報取得部が取得した情報を記憶する。学習部は、第３記憶部が記憶する情報に基づいて省エネルギー制御の態様を変更する。
【００１５】
本発明の第５観点に係る空調制御システムでは、第３記憶部が記憶する情報に基づいて学習部により省エネルギー制御の方法や該方法の選択ロジック等といった省エネルギー制御の態様が変更される。これにより、より環境に適応した省エネルギー制御を行うことが可能となる。
【００１６】
本発明の第６観点に係る空調制御システムは、第１観点から第５観点のいずれかに係る空調制御システムであって、運転制御部は、所定の解除条件が成就したときに省エネルギー制御を解除する。
【００１７】
本発明の第６観点に係る空調制御システムでは、所定の解除条件が成就したときに省エネルギー制御が解除される。したがって、快適性が保たれる。
【００１８】
本発明の第７観点に係る空調制御システムは、第１観点から第６観点のいずれかに係る空調制御システムであって、第２受付部をさらに備えている。第２受付部は、省エネルギー制御を解除する指令を例えば利用者から受け付ける。
【００１９】
本発明の第７観点に係る空調制御システムでは、利用者は、省エネルギー制御を解除することができる。したがって、利用者は、省エネルギー制御が不快であれば、解除できる。これにより、省エネルギーである一方、不快感を与える恐れをより減らすことができる。
【００２０】
本発明の第８観点に係る空調制御システムは、第１観点から第７観点のいずれかに係る空調制御システムであって、第３受付部をさらに備えている。第３受付部は、省エネ制御開始時刻を導出するためのスケジュールの変化時刻から遡る所定の時間を受け付ける。
【００２１】
本発明の第８観点に係る空調制御システムでは、利用者は、省エネルギー制御の開始時刻を決めることができる。
【００２２】
本発明の第９観点に係る空調制御システムは、第１観点から第８観点のいずれかに係る空調制御システムであって、第４受付部をさらに備えている。第４受付部は、省エネルギー制御の態様を受け付ける。
【００２３】
本発明の第９観点に係る空調制御システムでは、利用者は、省エネルギー制御の方法や該方法の選択ロジック等といった省エネルギー制御の態様を決めることができる。
【発明の効果】
【００２４】
本発明の第１観点に係る空調制御システムでは、利用者は、省エネルギー制御の実行の要否を選択できる。よって、省エネルギーである一方、利用者に不快感を与える恐れを減らすことができる。
【００２５】
本発明の第２観点に係る空調制御システムでは、より省エネルギーである一方、不快感を与える恐れをより減らすことができる。
【００２６】
本発明の第３観点から第５観点に係る空調制御システムでは、より環境に適応した省エネルギー制御を行うことが可能となる。
【００２７】
本発明の第６観点に係る空調制御システムでは、所定の解除条件が成就したときに省エネルギー制御が解除される。したがって、快適性が保たれる。
【００２８】
本発明の第７観点に係る空調制御システムでは、利用者は、省エネルギー制御が不快であれば、解除できる。これにより、省エネルギーである一方、不快感を与える恐れをより減らすことができる。
【００２９】
本発明の第８観点に係る空調制御システムでは、利用者は、省エネルギー制御の開始時刻を決めることができる。
【００３０】
本発明の第９観点に係る空調制御システムでは、利用者は、省エネルギー制御の方法や該方法の選択ロジック等といった省エネルギー制御の態様を決めることができる。
【図面の簡単な説明】
【００３１】
【図１】本発明の実施形態に係る空調制御システムの概略冷媒回路図。
【図２】本発明の実施形態に係る空調制御装置の制御ブロック図。
【図３】空気調和機の運転のスケジュールを示す図。
【図４】本発明の実施形態に係る空調制御システムの時間軸を示す図。
【図５】本発明の実施形態に係る空調制御システムの省エネルギー制御の方法および該方法の選択方法を示す図。
【図６】本発明の実施形態に係る空調制御システムの省エネルギー制御の方法および省エネレベルを示す図。
【図７】本発明の実施形態の変形例に係る空調制御システムの概略図。
【図８】本発明の実施形態に係る空調制御システムの制御の流れを示すフローチャート。
【発明を実施するための形態】
【００３２】
本発明の実施形態を以下に説明する。なお、本発明は、本実施形態に限られるものではない。
【００３３】
（１）空調制御システムの概略構成
本実施形態に係る空調制御システム１の概略冷媒回路図を図１に示す。
【００３４】
この空調制御システム１は、主に、空気調和機３と、空調制御装置６０とを備えている。空気調和機３は、空調対象空間内から空気を取り込み、取り込んだ空気を空気調和して調和空気を生成し、この調和空気を空調対象空間内に供給する。
【００３５】
空調制御装置６０は、空気調和機３からの運転データを受信したり、利用者から運転のスケジュール、運転モード、および、設定温度等の入力を受付け、利用者から受け付けたこれらの指示情報を制御指令として空気調和機３に送信したりする。
【００３６】
（２）空気調和機
空気調和機３は、室内機２ａ，２ｂ，２ｃと、室外機２０とから構成されており、冷房運転および暖房運転等を含む空気調和運転を行うことができる。室内機２ａ，２ｂ，２ｃ内には、室内熱交換器４ａ，４ｂ，４ｃおよび室内ファン５ａ，５ｂ，５ｃ等が収容されている。室内熱交換器４ａ，４ｂ，４ｃは、接触する空気との間で熱交換を行い、調和空気を生成する。また、室内熱交換器４ａ，４ｂ，４ｃは、冷房運転時には、冷媒の蒸発器として機能してケーシング内に取り込まれた空気を冷却し、暖房運転時には、冷媒の凝縮器として機能してケーシング内に取り込まれた空気を加熱する。室内ファン５ａ，５ｂ，５ｃは、空調対象空間内の空気を吸い込んで熱交換器に通し、熱交換が行われた後の調和空気を空調対象空間内に排出する。また、室内機２ａ，２ｂ，２ｃには、室内機制御部６１ａ，６１ｂ，６１ｃが内蔵されている。室内機制御部６１ａ，６１ｂ，６１ｃは、室内機２ａ，２ｂ，２ｃ内の室内熱交換器４ａ，４ｂ，４ｃおよび室内ファン５ａ，５ｂ，５ｃ等の各種機器を制御する。
【００３７】
また、室外機２０には、室外機制御部６２が内蔵されている。室外機制御部６２は、室外機２０に収容されている圧縮機９、室外ファン７、四路切換弁８および室外膨張弁１２等の各種機器の制御を行う。
【００３８】
（３）空調制御装置
空調制御装置６０は、図２に示すように、制御指令等を送受信するための通信部６３と、ＲＡＭおよびＣＰＵ等からなる制御部６４と、記憶部６５と、液晶タッチパネルディスプレイからなる入出力部６８とを備えている。
【００３９】
通信部６３は、制御部６４から受信した制御指令を空気調和機３に送信する。
【００４０】
制御部６４は、入出力部６８を介して受け付けた利用者からの指示情報に基づいた空気調和機３が行う運転内容についての制御指令を、通信部６３に送信する。運転内容についての制御指令とは、例えば、空気調和運転の運転開始や運転停止、設定温度や設定風量の変更および省エネルギー制御の開始等の制御指令である。また、省エネルギー制御とは、空気調和機３の消費電力を抑制するために、空気調和運転時に行われる制御である。
【００４１】
入出力部６８は、利用者が空気調和運転の運転スケジュール、所定の時間Ｐ１、省エネルギー制御の実行の要否、省エネルギー制御の態様、および、空気調和機３の運転モードと設定温度等を入力するための入力手段であるとともに、また、これらの情報を表示する出力手段でもある。なお、所定の時間Ｐ１とは、省エネ制御開始時刻Ｔ１を導出するために、スケジュールにおける運転停止等の運転が変化する時刻である変化時刻Ｔ２から遡る時間であり、Ｔ１、Ｔ２およびＰ１は、図４に示すような関係を有する。入出力部６８は、図２に示すように、第１受付部６８ａ、第２受付部６８ｂ、第３受付部６８ｃおよび第４受付部６８ｄを有する。
【００４２】
制御部６４は、運転制御部６４ａ、選択部６４ｂ、情報取得部６４ｃおよび学習部６４ｄを有する。記憶部６５は、第１記憶部６５ａ、第２記憶部６５ｂおよび第３記憶部６５ｃを有する。運転制御部６４ａは、第１記憶部６５ａに記憶されている空気調和機３の運転のスケジュールを参照する。スケジュールは、利用者により作成され入出力部６８を介して入力される。第１受付部６８ａは、利用者からの省エネルギー制御の実行の要否についての指令を受け付ける。空調制御装置６０は、利用者による省エネルギー制御の実行要との指令がある場合に省エネルギー制御を実行する。運転制御部６４ａは、スケジュールから運転が変化する時刻である変化時刻Ｔ２を抽出する。運転が変化する時刻とは、本実施形態では、運転を停止する時刻である。したがって、例えば図３に示すようなスケジュールのように午前１時に空気調和機３の運転を停止するようにスケジュールされていれば、変化時刻Ｔ２は、午前１時となる。運転制御部６４ａは、記憶部６５に記憶されている所定の時間Ｐ１を取得し、変化時刻Ｔ２からこの所定の時間Ｐ１遡った時刻を省エネ制御開始時刻Ｔ１とする。所定の時間Ｐ１は、記憶部６５に記憶されているが、利用者は、この所定の時間Ｐ１を入出力部６８を介して変更することができる。この場合、当該所定の時間Ｐ１は、第３受付部６８ｃが受け付け、記憶部６５に記憶される。
【００４３】
一方、情報取得部６４ｃは、室温サーミスタ６６によって検出される室内温度情報から得られる室内温度（以下、室温とする）および湿度値と、外気温度サーミスタ６７によって検出される外気温度情報から得られる外気温度値（以下、外気温とする）およびインターネットを介して気象情報を取得する。第３記憶部は、これらの情報を記憶する。また、情報取得部６４ｃは、室内機制御部６１ａ，６１ｂ，６１ｃおよび室外機制御部６２から運転モード、設定温度等の現在の空気調和機の運転状況を取得する。情報取得部６４ｃは、所定時間（例えば、３分）毎に、これらの情報を取得し、第３記憶部６５ｃは、情報取得部６４ｃが取得した情報を蓄積して記憶する。選択部６４ｂは、情報取得部６４ｃが取得するこれらの情報に基づいて、省エネルギー制御の方法を決めるか、あるいは、第２記憶部６５ｂに記憶されている複数の省エネルギー制御の方法である省エネ制御方法から１つを選択する。なお、実行する省エネルギー制御の方法および選択条件は、利用者が入出力部６８を介して入力することも可能である。利用者は、例えば、暖房運転時において外気温と室温との差が２０℃以上の場合は、設定温度を１℃下げた状態で運転と運転の停止を繰り返す間欠運転をするように設定することができる。このほか、例えば、どのような条件下でも常に、圧縮機の周波数を所定の周波数以上で運転しないように能力上限設定をした運転による省エネルギー制御を行うように設定することもできる。この場合、利用者により入力される省エネルギー制御の方法は、第４受付部６８ｄが受け付け、第２記憶部６５ｂにより記憶される。
【００４４】
運転制御部６４ａは、省エネ制御開始時刻Ｔ１になったら、選択部６４ｂが選択した方法による省エネルギー制御を実行するように制御指令を空気調和機３に通信部６３を介して送信する。第２受付部６８ｂは、利用者からの省エネルギー制御の解除指令を受け付ける。解除指令があった場合、運転制御部６４ａは、省エネルギー制御を解除する。解除指令とは、解除指令そのもののほか、設定温度を上げる指令も含まれる。この他にも、運転制御部６４ａは、設定温度と室温の乖離が大きい等、所定の解除条件が成就した場合にも、省エネルギー制御を解除する。実行された省エネルギー制御の方法と省エネルギー制御の解除の有無、省エネルギー制御実行中の外気温と室温等の情報は、第３記憶部６５ｃに記憶される。学習部６４ｄは、第３記憶部６５ｃに記憶されている情報に基づいて学習する、すなわち、省エネルギー制御の方法や該方法の選択条件といった省エネルギー制御の態様を変更する。
【００４５】
（４）空調制御システムの制御動作
本実施形態の省エネルギー制御の実行にかかる空調制御システム１による処理の流れについて暖房運転時を例に図８を用いて説明する。この処理は、空調制御装置６０の記憶部６５に格納された所定の制御プログラムに従って、制御部６４によって実行される。
【００４６】
まず、省エネルギー制御は、利用者があらかじめ省エネルギー制御の実行を選択した場合に実行される。したがって、ステップＳ１０１では、運転制御部６４ａは、第１受付部６８ａが利用者から省エネルギー制御の実行の指令を受け付けたかどうかを判定する。運転制御部６４ａが指令を受け付けたと判定すれば、ステップＳ１０２へ進むが、指令がなかったと判定すれば、図８のＥＮＤへと進み何もしない。
【００４７】
ステップＳ１０２では、運転制御部６４ａは、第１記憶部６５ａに記憶されているスケジュールを参照し、スケジュールにおける空気調和運転が変化する変化時刻Ｔ２を抽出する。図３のスケジュールにおいては、変化時刻Ｔ２は、午前１：００となる。その後、処理の流れは、ステップＳ１０３へ進む。
【００４８】
ステップＳ１０３では、運転制御部６４ａは、記憶部に記憶されている所定の時間Ｐ１を取得し、変化時刻Ｔ２からこの所定の時間Ｐ１だけ遡った時刻を省エネルギー制御を開始する省エネ制御開始時刻Ｔ１として導出する。Ｔ１、Ｔ２、および、Ｐ１の関係を図４に示す。その後、処理の流れは、ステップＳ１０４へ進む。
【００４９】
ステップＳ１０４では、運転制御部６４ａは、現在時刻が省エネ制御開始時刻Ｔ１に到達したかどうかの判定を現在時刻が省エネ制御開始時刻Ｔ１に到達するまで繰り返す。運転制御部６４ａが、現在の時刻が省エネ制御開始時刻Ｔ１に到達したと判定すれば、ステップＳ１０５へ進む。
【００５０】
ステップＳ１０５では、情報取得部６４ｃは、室温サーミスタ６６より室温、外気温サーミスタ６７より外気温の情報を取得する。その後、処理の流れは、ステップＳ１０６へ進む。
【００５１】
ステップＳ１０６では、選択部６４ｂは、情報取得部６４ｃが取得した外気温と室温とをもとに、例えば、暖房運転時には、図５に示す選択条件により省エネ制御方法を選択する。すなわち、
（ａ）暖房運転時において外気温が室温より高い、あるいは、温度差が５℃未満の場合は、運転の停止を、
（ｂ）暖房運転時において外気温と室温との差が５℃以上かつ１０℃未満の場合は、送風（強制サーモＯＦＦ：熱交換の停止）運転を、
（ｃ）暖房運転時において外気温と室温との差が１０℃以上かつ１５℃未満の場合は、設定温度を２度下げた運転を、
（ｄ）暖房運転時において外気温と室温との差が１５℃以上かつ２０℃未満の場合は、設定温度を１度下げた運転を、
（ｅ）暖房運転時において外気温と室温との差が２０℃以上の場合は、圧縮機の周波数を所定の周波数以上で運転しないように能力上限設定をした運転を選択する。
その後、処理の流れは、ステップＳ１０７へ進む。
【００５２】
ステップＳ１０７では、運転制御部６４ａは、ステップＳ１０６で選択部６４ｂが選択した省エネ制御方法に従った空気調和運転をするように空気調和機３に通信部６３を介して指令を送信する。その後、処理の流れは、ステップＳ１０８へ進む。
【００５３】
ステップ１０８では、運転制御部６４ａは、省エネルギー制御の解除条件が成就したかどうか判定する。情報取得部６４ｃは、室温等の情報を取得する。運転制御部６４ａは、室温、および、空調運転の設定温度、第２受付部６８ｂが解除指令を受け付けたか否か等の情報を基に図５に示す解除条件が成就したかどうか判断する。すなわち、上記ステップＳ１０６における（ａ）、（ｂ）、（ｅ）の省エネルギー制御を実施している場合は、設定温度と室温との差が所定の値（例えば、５℃）を超えたときに解除条件が成就し、また、（ａ）〜（ｅ）全ての場合において入出力部６８を介して利用者による省エネルギー制御を解除する指令を受け付けたときにも省エネルギー制御を解除する。なお、利用者による省エネルギー制御を解除する指令とは、解除指令そのもののほか、設定温度を上げる指令も含まれる。つまり、省エネルギー制御により利用者が不快と感じていることが判断されるような操作がされたときは、解除する。運転制御部６４ａが、解除条件が成就したと判定すれば、ステップＳ１１０へ進み、成就していないと判定すれば、Ｓ１０９へ進む。
【００５４】
ステップＳ１０９では、運転制御部６４ａは、現在時刻が変化時刻Ｔ２に到達したかどうかの判定を行う。運転制御部６４ａが、現在時刻が変化時刻Ｔ２に到達したと判定すれば、ステップＳ１１０へ進む。現在時刻が変化時刻Ｔ２に到達していないと判定すれば、ステップＳ１０８に戻る。
【００５５】
ステップＳ１１０では、運転制御部６４ａは、空気調和機３に現在実行中の運転モードを止め、スケジュールにて設定されている運転モードに従った運転を行うように通信部６３を介して指令を送信する。例えば、現在時刻がスケジュールにおける運転停止時刻Ｔ２に到達していれば、運転制御部６４ａは、空気調和運転の停止する指令を送信し、現在時刻がスケジュールにおいて設定温度２０℃の暖房運転をする時間帯にあれば、設定温度２０℃暖房運転をするように空気調和機３に指令を送信する。
【００５６】
（５）学習機能
次に本実施形態の空調制御システムにかかる学習機能について暖房運転時を例に説明する。
【００５７】
省エネルギー制御実行中の外気温、空調対象空間内の室温および湿度、実行中の省エネ制御方法の情報は、所定時間（例えば、３分）毎に情報取得部６４ｃにより取得され第３記憶部６５ｃに記憶される。省エネルギー制御が解除されたとき、および、変化時刻Ｔ２に到達して省エネルギー制御が終了したときは、その時点での情報も第３記憶部６５ｃに記憶される。学習部６４ｄは、省エネルギー制御が終了する度に、第３記憶部６５ｃに記憶されている情報を参照し、この時に実行されていた省エネ制御方法と、省エネ制御開始時刻Ｔ１における室温、外気温、および、省エネルギー制御実行中における解除の有無の情報とを基に、第２記憶部６５ｂに記憶されている省エネ制御方法および省エネ制御方法の選択条件を変更する。
【００５８】
具体的には、図６に示すとおりそれぞれの省エネ制御方法には省エネレベル値が割り付けられている。省エネレベル値が高いほど省エネルギー性が高く、省エネレベル値が低いほど省エネルギー性は、低い。学習部６４ｄは、第３記憶部６５ｃに記憶されている情報を参照して図５の各選択条件において過去に解除が発生していない限り、なるべく省エネレベル値の高い省エネ制御方法を選択するように記憶部６５に記憶されている図５に示されているような省エネ制御方法、および、その選択条件を変更することにより省エネルギー制御の態様を変更する。例えば、暖房運転時に省エネルギー制御を行った場合において省エネ制御開始時刻Ｔ１において外気温と室温との差が１５℃以上かつ２０℃未満で１℃の設定温度シフト運転を行ったが、過去に同選択条件かつ同省エネ制御方法において省エネルギー制御が解除されたことがない場合、外気温と室温との差が１５℃以上かつ２０℃未満で行われる省エネ制御方法を２℃の設定温度シフト運転に変更する。
【００５９】
また、学習部６４ｄは、第３記憶部６５ｃに記憶されている情報を参照して前回の運転において解除が発生したことを検出した場合は、その解除が発生した同じ省エネ制御方法でありかつ同省エネ制御方法選択時の選択条件と同じ選択条件の省エネルギー制御において過去に発生した解除の回数を算出する。過去に発生した解除の回数が所定の回数（例えば、３回）を超えている場合は、現在設定されている省エネ制御方法よりも省エネレベル値が一つ低い省エネ制御方法が選択されるように記憶部６５に記憶されている図５に示すような省エネ制御の選択条件を書き換える。例えば、前回の運転で暖房運転時に省エネルギー制御を行った場合において省エネ制御開始時刻Ｔ１において外気温と室温との差が１０℃以上かつ１５℃未満で２℃の設定温度シフト運転を行ったが、省エネルギー制御が解除された場合において、過去に同選択条件および同省エネ制御方法において３回以上解除が発生していれば、外気温と室温との差が１０℃以上かつ１５℃未満で行われる省エネ制御方法を１℃の設定温度シフト運転に変更する。
【００６０】
（６）特徴
（６−１）特徴１
上記実施形態では、空気調和運転において省エネルギー制御を行うことが可能な空調制御システム１において、省エネルギー制御の実行の要否を利用者が選択できるようになっている。
【００６１】
これによって、省エネルギーである一方、不快感を与える恐れを減らす空調制御システムを提供することができている。
【００６２】
（６−２）特徴２
上記実施形態では、省エネルギー制御が実行される場合に、あらかじめ記憶されている省エネルギー制御の方法の中から所定の選択条件に基づいて１つの方法が選択され、スケジュール上の変化時刻Ｔ２から所定の時間Ｐ１遡った時刻から選択された方法による省エネルギー制御が実行されるようになっている。
【００６３】
これによって、省エネルギーである一方、不快感を与える恐れを減らす空調制御システムを提供することができている。
【００６４】
（６−３）特徴３
上記実施形態では、屋外および空調対象空間内の環境情報に基づいて省エネルギー制御の方法が選択されるようになっている。
【００６５】
これによって、環境に適応した省エネルギー制御を行うことができている。
【００６６】
（６−４）特徴４
上記実施形態では、第３記憶部６５ｃに蓄積されている過去の屋外、空調対象空間内の環境情報および空気調和運転の運転動作情報に基づいて学習がなされ、省エネルギー制御の態様が変更されるようになっている。
【００６７】
これによって、環境に適応しており、不快感を与える恐れを減らす省エネルギー制御を行うことができている。
【００６８】
（６−５）特徴５
上記実施形態では、所定の解除条件が成就したときに省エネルギー制御が解除されるようになっている。
【００６９】
これによって、快適性を保ち、不快感を与える恐れを減らす省エネルギー制御を行うことができている。
【００７０】
（６−６）特徴６
上記実施形態では、利用者からの省エネルギー制御を解除する指令を受け付けることができるようになっている。
【００７１】
これによって、省エネルギーである一方、不快感を与える恐れを減らす省エネルギー制御を行うことができている。
【００７２】
（６−７）特徴７
上記実施形態では、スケジュールの変化時刻Ｔ２から遡る所定の時間Ｐ１について利用者から入力を受け付けることができるようになっている。
【００７３】
これによって、利用者に省エネルギー制御の開始時刻である省エネ制御開始時刻Ｔ１を決めさせることができている。
【００７４】
（６−８）特徴８
上記実施形態では、省エネルギー制御の方法および該方法の選択条件について利用者からの入力を受け付けることができるようになっている。
【００７５】
これによって、利用者に省エネルギー制御の態様を決めさせることができている。
【００７６】
（７）変形例
（７−１）変形例１
上記実施形態では、（４）空調制御システムの制御動作のステップＳ１０６において、（ｅ）暖房運転時において外気温と室温との差が２０℃以上の場合は、選択部６４ｂは、圧縮機の周波数を所定の周波数以上で運転しないように能力上限設定をした運転を選択するが、他の実施形態では、運転と運転停止を繰り返す間欠運転を選択しても良い。
【００７７】
（７−２）変形例２
上記（４）空調制御システムの制御動作のステップＳ１０６において、他の実施形態では、選択部６４ｂは、外気温や室温以外の情報を基に省エネ制御方法を選択しても良い。例えば、情報取得部６４ｃは、インターネットを介して気象情報を取得し、選択部６４ｂは、晴れおよび雨等の天候や最低気温、最高気温等の空調対象空間が所在する地域の気象情報を基に省エネ制御方法を選択しても良い。あるいは、空気調和機３から運転モードおよび設定温度等の空気調和運転の運転動作情報、又は、第３記憶部６５ｃが記憶している過去の空調運転時の省エネルギー制御の開始時刻（省エネ制御開始時刻：Ｔ１）と省エネルギー制御の終了時刻での室温の差等の過去の運転時の情報を基に省エネ制御方法を選択しても良い。
【００７８】
この変形例では、屋外または空調対象空間内の環境情報あるいは空気調和運転の運転動作情報に基づいて省エネルギー制御の方法が選択されるようになっている。
【００７９】
これによって、環境に適応した省エネルギー制御を行うことができている。
【００８０】
（７−３）変形例３
上記実施形態では、（４）空調制御システムの制御動作のステップＳ１０８において、上記ステップＳ１０６における（ａ）、（ｂ）、（ｅ）の省エネルギー制御を実施している場合において設定温度と室温との差が所定の値（例えば、５℃）を超えたときに省エネルギー制御の解除条件が成就するが、他の実施形態では、設定温度と室温との差の所定の値は、利用者により変更可能にしてもよい。この場合、該所定の値は、入出力部６８を介して入力され、記憶部６５に記憶される。
【００８１】
（７−４）変形例４
上記実施形態では、変化時刻Ｔ２は、スケジュールにおいて運転が停止する時刻であったが、これに限られない。空調制御装置６０が、空気調和機３と換気装置とを制御する実施形態においては、例えば、１３時になるまで設定温度２２度の暖房運転がなされ、１３時より空気調和運転を停止しながら換気のみ継続する運転がスケジュールされている場合、変化時刻Ｔ２は、１３時となる。この場合、省エネ制御開始時刻Ｔ１は、１３時から所定の時間Ｐ１だけ遡った時刻となる。
【００８２】
（７−５）変形例５
上記実施形態では、空気調和機３と空調制御装置６０が同じ建物内に設置されているが、図７に示すように遠隔地の１つまたは複数の建物に設置された複数の空気調和機３を制御する遠隔センタを設け、該遠隔センタに空調制御装置６０の構成部分のうちの一部または全部を適宜遠隔センタに設置される管理コンピュータ２６０に配置し、管理コンピュータ２６０と空気調和機３とは、インターネット等のネットワーク１００を介して接続しても良い。例えば、空調制御装置６０の通信部６３、制御部６４、記憶部６５および第３受付部６８ｃ、第４受付部６８ｄを遠隔センタの管理コンピュータ２６０に配置し、他の全ての構成部分は空調対象建物に設置される空気調和機３あるいは空調制御装置１６０等の機器に配置する。こうすることにより、複数の空調対象建物を遠隔から集中管理できる。
【産業上の利用可能性】
【００８３】
本発明は、空調対象者に対して快適性を損なわずに省エネルギーを実現できるため、空気調和機の空調制御システムへの適用が有効である。
【符号の説明】
【００８４】
１  空調制御システム
９  圧縮機（機器）
６６  室温サーミスタ（情報取得部）
６７  外気温度サーミスタ（情報取得部）
６４ａ  運転制御部
６４ｂ  選択部
６４ｃ  情報取得部
６４ｄ  学習部
６５ａ  第１記憶部
６５ｂ  第２記憶部
６５ｃ  第３記憶部
６８    入出力部
６８ａ  第１受付部
６８ｂ  第２受付部
６８ｃ  第３受付部
６８ｄ  第４受付部
Ｔ１  省エネ制御開始時刻
Ｔ２  変化時刻
Ｐ１  所定の時間
【先行技術文献】
【特許文献】
【００８５】
【特許文献１】特開２００７−１３２５９８号公報
【図１】
2011208857.tif 000003
【図２】
2011208857.tif 000004
【図３】
2011208857.tif 000005
【図４】
2011208857.tif 000006
【図５】
2011208857.tif 000007
【図６】
2011208857.tif 000008
【図７】
2011208857.tif 000009
【図８】
2011208857.tif 000010